(57)【要約】  交互キルティング方法及び交互キルティング方法を使用することによって製造された装置。複数の層が層のセットに配置可能であり、各層のセットの層は、互いにキルティングによって縫い合わせ可能であり、結果として、ステッチを形成可能である。各層のセットの層の間の空間は、断熱材で満たすことができる。一方の層のセットのステッチを、他方の層のセットの、断熱材が豊富な領域によって遮断するために、層のセットは互いにオフセット可能であり、その目的は交互キルティング構造を通る冷気の流れを遮断することであり得る。
2016509138.tif 000002
【特許請求の範囲】
【請求項１】
少なくとも２組の層のセットに配置される互いに平行な複数個の層であって、前記少なくとも２組の層のセットのそれぞれは、互いにキルティングで縫い合わされた少なくとも２個の層を含む前記複数個の層と、
前記少なくとも２組の層のセットのそれぞれに含まれる前記少なくとも２個の層の間の空間を占める断熱材と、
を含み、
前記少なくとも２組の層のセットは、互いにオフセットされる、装具。
【請求項２】
前記少なくとも２組の層のセットのそれぞれは、複数個のステッチを含み、
前記複数個のステッチは、前記少なくとも２組の層のセットのそれぞれに含まれる前記少なくとも２個の層を互いにキルティングで縫い合わせるように機能し、
前記少なくとも２組の層のセットのうちのそれぞれのセットに含まれる前記複数個のステッチのそれぞれは、前記少なくとも２組の層のセットのうちのそれぞれ別のセットに含まれる前記複数個のステッチの間の領域と位置合わせされる、請求項１に記載の装具。
【請求項３】
前記少なくとも２組の層のセットのうちのそれぞれのセットに含まれる前記複数個のステッチのそれぞれは、前記少なくとも２組の層のセットのうちのそれぞれ別のセットに含まれる前記複数個のステッチの間の中間の領域と位置合わせされる、請求項１に記載の装具。
【請求項４】
前記少なくとも２組の層のセットは、空隙部分によって分離される、請求項１に記載の装具。
【請求項５】
前記少なくとも２組の層のセットのうちのそれぞれのセットに含まれる前記複数のステッチは、前記少なくとも２組の層のセットのうちのそれぞれ別のセットに含まれる前記複数のステッチよりも互いに間隔を空けている、請求項２に記載の装具。
【請求項６】
前記少なくとも２組の層のセットのうちのそれぞれのセットの厚さは、前記少なくとも２組の層のセットのうちのそれぞれ別のセットの厚さと異なる、請求項１に記載の装具。
【請求項７】
前記少なくとも２組の層のセットのうちのそれぞれのセットに含まれる前記少なくとも２個の層の間の前記空間を占める前記断熱材は、前記少なくとも２組の層のセットのうちのそれぞれ別のセットに含まれる前記少なくとも２個の層の間の前記空間を占める前記断熱材とは異なる、請求項１に記載の装具。
【請求項８】
前記断熱材は、ダウン、ポリフィル、及び、ファイバーボールのうちの１つである、請求項１に記載の装具。
【請求項９】
互いに平行な複数個の層を置くステップと、
前記複数個の層を少なくとも２組の層のセットに配置するステップであって、前記少なくとも２組の層のセットのそれぞれは、少なくとも２個の層を含むステップと、
前記少なくとも２個の層のセットのそれぞれに含まれる前記少なくとも２個の層の間の空間を断熱材で満たすステップと、
前記少なくとも２個の層のセットのそれぞれに含まれる前記少なくとも２個の層を互いにキルティングで縫い合わせるステップと、
前記少なくとも２組の層のセットを互いにオフセットするステップと、
を含むキルティングの方法。
【請求項１０】
前記少なくとも２組の層のセットのそれぞれに含まれる前記少なくとも２個の層を互いにキルティングで縫い合わせるために複数個のステッチを使用するステップをさらに含む、請求項９に記載のキルティングの方法。
【請求項１１】
前記少なくとも２組の層のセットのうちのそれぞれのセットに含まれる前記複数個のステッチのそれぞれを、前記少なくとも２組の層のセットのうちのそれぞれ別のセットに含まれる前記複数個のステッチの間の領域と位置合わせするステップをさらに含む、請求項１０に記載のキルティングの方法。
【請求項１２】
少なくとも２組の層のセットに配置される互いに平行な複数個の層であって、前記少なくとも２組の層のセットのそれぞれは、互いにキルティングで縫い合わされた少なくとも２個の層を含む前記複数個の層と、
前記少なくとも２つの層のセットのそれぞれに含まれる前記少なくとも２個の層の間の空間を占める断熱材と、
を含み、
前記少なくとも２組の層のセットは、互いにオフセットされる、衣服。
【請求項１３】
前記少なくとも２組の層のセットは、少なくとも２つの方向において互いにオフセットされる、請求項１２に記載の衣服。
【請求項１４】
前記少なくとも２組の層のセットは、水平方向及び側方方向において互いにオフセットされる、請求項１３に記載の衣服。
【請求項１５】
前記少なくとも２組の層のセットのそれぞれは、複数個のステッチを含み、
前記複数個のステッチは、前記少なくとも２個の層のセットのそれぞれに含まれる前記少なくとも２個の層を互いにキルティングで縫い合わせるように機能し、
前記少なくとも２組の層のセットのうちのそれぞれのセットに含まれる前記複数個のステッチのそれぞれは、前記少なくとも２組の層のセットのうちのそれぞれ別のセットに含まれる前記複数個のステッチの間の領域と位置合わせされる、請求項１２に記載の衣服。
【請求項１６】
前記少なくとも２組の層のセットは、空隙部分によって分離される、請求項１２に記載の衣服。
【請求項１７】
前記少なくとも２組の層のセットのうちのそれぞれのセットに含まれる前記複数個のステッチは、前記少なくとも２組の層のセットのうちのそれぞれ別のセットに含まれる前記複数個のステッチよりも互いに間隔を空けて離される、請求項１５に記載の衣服。
【請求項１８】
前記少なくとも２組の層のセットのうちのそれぞれのセットの厚さは、前記少なくとも２組の層のセットのうちのそれぞれ別のセットの厚さと異なる、請求項１２に記載の衣服。
【請求項１９】
前記少なくとも２組の層のセットのうちのそれぞれのセットに含まれる前記少なくとも２個の層の間の前記空間を占める前記断熱材は、前記少なくとも２組の層のセットのうちのそれぞれ別のセットに含まれる前記少なくとも２個の層の間の前記空間を占める前記断熱材と異なる、請求項１２に記載の衣服。
【請求項２０】
前記断熱材は、ダウン、ポリフィル、及びファイバーボールのうちの１つである、請求項１２に記載の衣服。
【発明の詳細な説明】
【技術分野】
【０００１】
本発明は概して、縫い合わせのキルティング方法に関し、この方法は、低温、屋内もしくは屋外の環境において体温を保つために使用可能な様々な衣服又はカバーを作製するために使用される。
【背景技術】
【０００２】
キルティング衣服及びカバーの最も重要な特徴の１つは、それらの断熱能力である。低温から守るために、キルティング衣料は断熱材を含む。断熱材は大量である必要があるか、又はそれが天然の保温特性を有する場合（例えばダウン）、高価である。結果として、キルティング衣料の断熱効果を最適化することは、それをより暖かく、より快適な着心地にするだけでなく、必要な断熱材の量を減らし、従ってキルティング衣服又はキルティングカバーの製造コストを削減する。
【０００３】
現在、当技術分野において、断熱衣類を製造するために使用される２つの最も一般的な構造は、従来のキルティング技法及びバッフル（ｂａｆｆｌｅ）技法である。既存の技法によって作製される衣料の断熱特性を、使用する断熱材の量を増やすことなく改良する必要がある。
【０００４】
従来のキルティング方法は、断熱材、例えばダウンを含ませるために、衣服又はカバーの外層（外皮）を通してキルティング線を縫うことを必要とする。通常、ダウンは衣服全体に不均一に分散される。ダウンはキルティング部分の中間でより量が多く、より厚く、キルティングステッチで量が少ない。結果として、従来のキルティングによって作製された衣類の断熱性は中間部分で過剰かつ無駄であり、ステッチの周りで不十分である。ステッチには望ましくない低温部分（ｃｏｌｄ  ｓｐｏｔ）が形成される。
【０００５】
バッフル技法はこの問題に対処するために開発されたが、低温部分の一部を覆うだけで、全てを覆うわけではない。この技法は、ステッチの高さに挿入される２次元接合面上で衣服又はカバーの一部を互いに貼り合わせる。バッフル技法が導入するこの２次元接合面は、ステッチ、すなわち貼り合わせ部分の間の冷気の流れを遮断することを目的としている。しかし、バッフル技法で製造された衣料品は、側方から冷気が侵入することを必然的に許すため、依然として非効率的な断熱を提供している。例えば、バッフルにより作製されたジャケットの胸側及び背中側区画は、ジャケットの側方部分で互いに縫い合わせられ、結果として、側方の縫い目が、相当の、かつ不快な低温部分を作り出す。
【０００６】
従って、最少量の断熱材を使用し、かつ低温部分のない保温性衣服及びカバーを製造するために使用可能な交互キルティング技法の必要性がある。
【発明の概要】
【０００７】
本発明の一態様は、低温環境において体温を維持し得る装具を作製するために使用される、縫い合わせの交互キルティング方法に関する。装具の一態様は、少なくとも２組の層のセットに配置される互いに平行な複数個の層であって、少なくとも２組の層のセットのそれぞれは、互いにキルティングで縫い合わされた少なくとも２個の層を含む前記複数個の層と、少なくとも２組の層のセットのそれぞれに含まれる少なくとも２個の層の間の空間を占める断熱材と、を含んでいてもよい。少なくとも２組の層のセットは、互いにオフセットされていてもよい。
【０００８】
少なくとも２組の層のセットのそれぞれは、複数個のステッチを含んでいてもよい。さらに、複数個のステッチは、少なくとも２組の層のセットのそれぞれに含まれる少なくとも２個の層を互いにキルティングで縫い合わせるように機能していてもよい。さらに、少なくとも２組の層のセットのうちのそれぞれのセットに含まれる複数個のステッチのそれぞれは、少なくとも２組の層のセットのうちのそれぞれ別のセットに含まれる複数個のステッチの間の領域と位置合わせされていてもよい。少なくとも２組の層のセットのうちのそれぞれのセットに含まれる複数個のステッチのそれぞれは、少なくとも２組の層のセットのうちのそれぞれ別のセットに含まれる複数個のステッチの間の中間の領域と位置合わせされてもよい。少なくとも２組の層のセットは、空隙部分によって分離されていてもよい。
【０００９】
一態様は、少なくとも２組の層のセットのうちのそれぞれのセットに含まれる複数のステッチは、少なくとも２組の層のセットのうちのそれぞれ別のセットに含まれる複数のステッチよりも互いに間隔を空けていてもよい。
【００１０】
他の一態様は、少なくとも２組の層のセットのうちのそれぞれのセットの厚さは、少なくとも２組の層のセットのうちのそれぞれ別のセットの厚さと異なっていてもよい。
【００１１】
本発明の一態様では、少なくとも２組の層のセットのうちのそれぞれのセットに含まれる少なくとも２個の層の間の空間を占める断熱材は、少なくとも２組の層のセットのうちのそれぞれ別のセットに含まれる少なくとも２個の層の間の空間を占める断熱材とは異なっていてもよい。さらに、断熱材は、ダウン、ポリフィル、及び、ファイバーボールのうちの１つであってもよい。
【００１２】
キルティング方法に関する本発明の他の一態様は、互いに平行な複数個の層を置くステップと、複数個の層を少なくとも２組の層のセットに配置するステップであって、少なくとも２組の層のセットのそれぞれは、少なくとも２個の層を含むステップと、少なくとも２個の層のセットのそれぞれに含まれる少なくとも２個の層の間の空間を断熱材で満たすステップと、少なくとも２個の層のセットのそれぞれに含まれる少なくとも２個の層を互いにキルティングで縫い合わせるステップと、少なくとも２組の層のセットを互いにオフセットするステップと、を含んでいてもよい。
【００１３】
方法は、少なくとも２組の層のセットのそれぞれに含まれる少なくとも２個の層を互いにキルティングで縫い合わせるために複数個のステッチを使用するステップをさらに含んでいてもよい。少なくとも２組の層のセットのうちのそれぞれのセットに含まれる複数個のステッチのそれぞれを、少なくとも２組の層のセットのうちのそれぞれ別のセットに含まれる複数個のステッチの間の領域と位置合わせするステップをさらに含んでいてもよい。
【００１４】
本発明の一態様は、低温環境において体熱を維持し得る様々な衣服又はカバーを作製するために使用される、縫い合わせのキルティング方法に関する。このような衣服の一態様は、少なくとも２組の層のセットに配置される互いに平行な複数個の層であって、少なくとも２組の層のセットのそれぞれは、互いにキルティングで縫い合わされた少なくとも２個の層を含む複数個の層と、少なくとも２つの層のセットのそれぞれに含まれる少なくとも２個の層の間の空間を占める断熱材と、を含んでいてもよい。少なくとも２組の層のセットは、互いにオフセットされていてもよい。少なくとも２組の層のセットは、少なくとも２つの方向、さらに具体的には、水平方向及び側方方向において互いにオフセットされていてもよい。
【００１５】
少なくとも２組の層のセットのそれぞれは、複数個のステッチを含み、複数個のステッチは、少なくとも２個の層のセットのそれぞれに含まれる少なくとも２個の層を互いにキルティングで縫い合わせるように機能してもよい。さらに、少なくとも２組の層のセットのうちのそれぞれのセットに含まれる複数個のステッチのそれぞれは、少なくとも２組の層のセットのうちのそれぞれ別のセットに含まれる複数個のステッチの間の領域と位置合わせされてもよい。さらに、少なくとも２組の層のセットは、空隙部分によって分離されていてもよい。
【００１６】
さらに、少なくとも２組の層のセットのうちのそれぞれのセットに含まれる複数個のステッチは、少なくとも２組の層のセットのうちのそれぞれ別のセットに含まれる複数個のステッチよりも互いに間隔を空けて離されていてもよい。一態様では、少なくとも２組の層のセットのうちのそれぞれのセットの厚さは、少なくとも２組の層のセットのうちのそれぞれ別のセットの厚さと異なっていてもよい。他の一態様では、少なくとも２組の層のセットのうちのそれぞれのセットに含まれる少なくとも２個の層の間の空間を占める断熱材は、少なくとも２組の層のセットのうちのそれぞれ別のセットに含まれる少なくとも２個の層の間の空間を占める前記断熱材と異なっていてもよい。断熱材は、ダウン、ポリフィル、及び、ファイバーボールのうちの１つであってもよい。
【００１７】
本発明は、以下で与えられる詳細な説明から、及び添付図面からより完全に理解されるようになる。図面は、本発明のほんのいくつかの可能な例を開示することを目的とし、従って本発明の範囲を限定しない。
【図面の簡単な説明】
【００１８】
【図１Ａ】隣接する層のセットの接合ステッチが互いにオフセットされている交互キルティングの一例を示す。
【図１Ｂ】層のセットの間の空気の流れを遮断する交互キルティングの一例を示す。
【図１Ｃ】隣接する層のセットの接合ステッチが２つの垂直方向において互いにオフセットされた交互キルティングの一例を示す。
【図２Ａ】相互比較で使用された交互キルティングの一例及び従来キルティング構造の詳細な記載を示す。
【図２Ｂ】交互キルティングの一例及び従来キルティング構造の間での断熱能力の比較の結果を示す。
【図３】交互キルティングによって製造された衣服の一例を示す。
【図４】交互キルティングによって製造された衣服の一例を示し、内層及び外層のセットの接合ステッチが互いに水平方向及び側方方向にオフセットされている。
【図５】交互キルティングの一例を示す。キルティング部分は幅、厚さ及び使用される断熱材が異なる。
【発明を実施するための形態】
【００１９】
本発明は概して、低温、屋内もしくは屋外の環境において体温を保つために使用可能な様々な衣服又はカバーを作製するために使用される縫い合わせのキルティング方法に関する。交互キルティングの好ましい例を以下に詳細に記載するが、本発明による構造は、屋内及び屋外用衣服、ならびに様々なカバー、掛布団、ならびに他の衣類及び装飾品など、幅広い範囲の製品で使用可能である。
【００２０】
本発明による交互キルティングの一例が、図１Ａに示されている。交互キルティング方法は、互いに平行な４つの層、すなわち、外皮層１０２、外側芯地１０３、内側芯地１０４及び裏地１０５を形成することを含み得る。図１Ａに示されるように、外皮層１０２は、外層、すなわち使用者の体から最も遠い層であるように位置付けてもよく、それは外側芯地１０３と隣接してもよい。外側芯地１０３は外皮層１０２にキルティングで縫い合わせられていてもよい。これら２層の間の空間は断熱材１０６で占められていてもよい。断熱材１０６は外側ステッチ１０７によって保持されていてもよい。断熱材１０６は、外側ステッチ１０７の間の中間の領域で豊富でありかつ外側ステッチ１０７付近で薄くなるように分散させられていてもよい。
【００２１】
交互キルティング技法の他の２つの層に目を向けると、裏地１０５は内層、すなわち、使用者の体に最も近い層であるように位置付けてもよく、それは内側芯地１０４に隣接してもよい。内側芯地１０４は裏地１０５にキルティングされていてもよい。これら２層の間の空間は断熱材１０６で占められていてもよい。断熱材１０６は内側ステッチ１０８によって保持されていてもよい。断熱材１０６は、内側ステッチ１０８の間の中間の領域で豊富でありかつ内側ステッチ１０８付近で薄くなるように分散させられていてもよい。
【００２２】
さらに、空隙部分１０９は、外皮層１０２及び外側芯地１０３を含み得る外層のセット１１０を、内側芯地１０４及び裏地１０５を含み得る内層のセット１１１から分離可能である。空気は元々程度の低い熱伝導体であることを考慮すると、２つの層のセットの間の空隙部分１０９は、空気をさらなる断熱のために捕捉し得る。
【００２３】
外層のセット１１０及び内層のセット１１１は、互いにオフセットされてもよい。外層のセット１１０の外側ステッチ１０７を、内層のセット１１１の内側ステッチ１０８の間の中間の領域と位置合わせしてもよい。それによって今度は、内層のセット１１１の内側ステッチ１０８を、外層のセット１１０の外側ステッチ１０７の間の中間の領域と位置合わせしてもよい。
【００２４】
この特徴が、従来のキルティングに優る大幅な改良を構成する。なぜなら、図１Ｂに示されるように、交互キルティング構造は、一方のセットの断熱材１０６が豊富な領域と冷気を衝突させることによって、他方の層のセットのステッチに侵入する冷気の潜在的経路を遮断するからである。
【００２５】
さらに、一例では、図１Ｃに示されるように、それぞれの層のセットにおいて、ステッチが互いに垂直な２つの方向、例えば鉛直及び水平方向に形成されるように層が縫い合わされていてもよい。この例では、異なる層のセットのステッチは、鉛直及び水平方向の両方においてオフセットされてもよい。結果として、このパターンは、交互キルティング技法によって製造される衣服又はカバーの潜在的な低温部分の全てを排除し得る。
【００２６】
多数の実験を行った後、上記の発明者は、交互キルティング配置が、図２Ｂに示されるように、従来のキルティングと比較して全体的な断熱能力を改善することを確定した。比較は図２Ａに提示されるように３種類の異なる断熱材、すなわち、ダウン、プリマロフト、及びサーモボールを使用して行った。交互構造及び従来構造の両方のプリマロフトの厚さは、２００ｇｍであるように選択した。サーモボールの厚さは４０ｇｍだった。ダウンの厚さは４０ｇｍに設定する一方、ダウンの密度は８００フィル、７００フィル、及び６００フィルであるように徐々に変えた。
【００２７】
図２Ｂに示されるように、ダウンで作製された交互キルティング構造は、ダウンの密度に依存して２２．５８〜４３．３２％の向上で変化する、従来構造を上回る断熱能力の大幅な改善をもたらした。同様に、プリマロフト又はサーモボールのどちらかで作製された交互構造もまた、従来構造と比較してはるかにより優れた断熱能力を生じ、それぞれ２８．３８％及び３９．１８％の改善をもたらした。提示した実験の結果は、様々な密度の異なる断熱材料を用いても、交互キルティングは、当技術分野で利用可能な他のキルティング技法よりも常に良好に機能することを示す。
【００２８】
本発明の一実施形態はまた、断熱材１０６の分散を実質的に改善し、その結果、ベッドカバー、又は冬物衣料を製造するために一般的に使用される高価な天然の断熱材（例えばダウン）の消費を低減し得る。すなわち、一方の層のセットの、ステッチの間の中間の部分を満たすために当技術分野で使用される余分かつ無駄なダウンを今や減らすことができ、差し引かれたダウンの量を、別のオフセットされた層のセットの断熱に使用することができる。ダウンの低減は、交互キルティングによって作製される衣服又はカバーの全体断熱能力を低下させないであろう。反対に、２つの層のセットは互いにオフセットさせることができるので、ステッチの周りの低温部分を排除することができ、それにより体熱がステッチを通って逃げることが防止される。その結果、断熱材を再分散することによって、交互キルティング技法は、キルティングされる衣服又はカバーに必要な全体材料費を削減し得る。
【００２９】
さらに、使用される層の数を増やすことによって、交互キルティング技法は、衣服又はカバーの美観の選択肢を増強し得る。すなわち、従来のキルティング技法は内側裏地層を使用するが、これは主として断熱材を包含するためであり、その視覚的又は触覚的訴求のためではない。本発明の一実施形態では、外皮層１０２及び裏地１０５は互換性があってもよく、外側芯地１０３及び内側芯地１０４は断熱材１０６を保持するように機能し得る。従って、４層構造のうち２層の配置を裏表反対に交換することによって、外皮層１０２及び裏地１０５は、衣服又はカバーの外層になったり内層になったりし得る。それにより、交互キルティング構造は、最も外側の層として外皮層１０２又は裏地１０５のどちらかを露出する使用者の選択に基づき、同一衣服又はカバーの２つの独立した美的外観を提供し得る。
【００３０】
さらに、２つの層を直接縫い合わせて１つの層のセットにする代わりに、２次元の接合面を隣接する層の間のステッチに挿入し、それらの間にバッファを提供し、断熱材がバッファ接合面に垂れ下がり冷気の流れを遮断するための空間を作り出すことができることが当技術分野で知られている。結果として、断熱材は３次元バッフル状構造によって含まれ、従って、当技術分野においてこのキルティング技法は一般にバッフル技法と呼ばれている。それにもかかわらず、バッフル技法はバッフル状部分を区画、例えば胸側区画及び背中側区画に取り付ける一方、そのような区画は、互いに直接縫い合わせるだけで側方で接合可能である。上で説明したように、縫い目が低温部分を形成し、バッフル技法によって製造された衣服の断熱能力を阻害する。
【００３１】
図３及び４に示される交互キルティング技法の一例は、層のセットを水平及び鉛直（すなわち側方）の両方にオフセットすることによってこの問題を解決する。
【００３２】
図３に示されるように、衣服３００は２つの層のセット、すなわち、外層のセット及び内層のセットを含み得る。両方の層のセットは、胴領域３１２及び袖領域３１３のキルティングによって構成可能であり、それにより２つの層のそれぞれの胸側区画及び背中側区画を形成する。次に、外層のセットの胸側区画及び背中側区画を側方で互いに縫い合わせることができ、外側側方縫い目３１５を形成する。同様に内層のセットの胸側区画及び背中側区画も側方で互いに縫い合わせることができ、内側側方縫い目３１４を結果として形成することができる。
【００３３】
内層のセット及び外層のセットは、図４に拡大されて示されるように水平又は側方方向のどちらかの低温部分の形成を回避するために、互いにオフセット可能である。外層のセットの外側水平ステッチ３０７は、内層のセットの内側水平ステッチ３０８の間の中間の領域と位置合わせ可能である。それによって今度は、内層のセットの内側水平ステッチ３０８が外層のセットの外側水平ステッチ３０７の間の中間の領域と位置合わせ可能である。次に外層のセットの外側側方縫い目３１５も、内層のセットの内側側方縫い目３１４に対してオフセット可能である。
【００３４】
従って、本発明のこの例では、一方の層のセットの縫い目又はステッチに侵入する冷気の潜在的経路を、別の層のセットによって遮断することができる。それらは、図４の拡大された部分で示されるように、互いに２つの方向において、すなわち、第１の、水平ステッチに対して垂直な方向３１６と、第２の、側方縫い目に対して垂直な方向３１７と、においてオフセット可能であるという事実のためである。結果として、一方の層のセットの各ステッチを、他方の層のセットの、断熱材が豊富な領域と位置合わせ可能であり、衣服の全ての潜在的低温部分を排除することができる。
【００３５】
さらに、本発明の一実施形態では、交互キルティング構造は２つの層のセットを構成し得、２つの層のセットでは、図５（ａ）に示されるように、一方の層のセットのステッチを、他方の層のセットのステッチよりも互いに間隔を空けて離すことができる。従って、一方の層のセットのキルティング部分の幅５１８は、他方の層のセットのキルティング部分の幅５１９と異なってもよい。
【００３６】
別の実施形態では、キルティング部分の幅の差に加えて、一方の層のセットの厚さ５２０は、図５（ｂ）に示されるように、他方の層のセットの厚さ５２１と異なってもよい。
【００３７】
図５（ａ）及び５（ｂ）に示される両方の例において、２つの層のセットのキルティング部分の幅が異なり得るとしても、両方の層のセットを通って真直ぐに流れる冷気のどのような経路も遮断するために、一方の層のセットのステッチを、他方の層のセットのステッチとオフセットされるように位置付けることができる。そのような方法では、両方の実施形態が、低温部分の形成を防止し得る。
【００３８】
本発明のさらに別の例では、図５（ｃ）に示されるように、一方の層のセットを断熱材５２２で充填可能であり、断熱材５２２は他方の層のセットの断熱材５２３と異なるものであってもよい。２つの断熱材のいずれか１つの材料の非限定的な例は、ダウン、ポリフィル、ファイバーボール（ｆｉｂｅｒ  ｂａｌｌ）断熱材、又は効果的な体熱維持に適していると考えられる他のいずれかの材料を含む。
【００３９】
これらのバリエーションは、外側及び内側層のセットの間の互換性特徴とセットみ合わされると、交互キルティングが提供する美観の選択肢の多様性を向上し得る。キルティング部分の幅を変えることにより、交互キルティングによって製造される同一衣服の２種類の異なる外観及び視覚的訴求がもたらされ得る。さらに、層のセットの厚さを変えることは、外側として２つの側のどちらを使用者が選択するかに依存して、使用者に同一衣服又は同一カバーの２種類の異なる触感を提供し得る。最後に、交互キルティング技法の層のセットの厚さ及び断熱材の事実上無数のセットみ合わせにより、最終物品の断熱能力及び製造膨張に関して幅広い調整が可能になる。
【００４０】
様々な実施形態を記載してきたが、他の実施形態も妥当である。交互キルティングの様々な例の前述の記載は、限定することを目的とするものではなく、例の任意の数の修正形態、セットみ合わせ形態、及び代替形態を採用してもよい。
【００４１】
本明細書に記載される例は単に例であり、本発明の趣旨及び範囲から逸脱することなく多数の他の実施形態を実行してもよい。さらに、本発明のいくつかの特徴は、特定の例又は構成との関連においてのみ上で記載され得るが、これらの特徴は、本発明の範囲内にある限り、様々な実施形態又は構成の間で交換され、追加され、及びそれらから除去されてもよい。
【図１Ａ】
2016509138.tif 000003
【図１Ｂ】
2016509138.tif 000004
【図１Ｃ】
2016509138.tif 000005
【図２Ａ】
2016509138.tif 000006
【図２Ｂ】
2016509138.tif 000007
【図３】
2016509138.tif 000008
【図４】
2016509138.tif 000009
【図５（ａ）】
2016509138.tif 000010
【図５（ｂ）】
2016509138.tif 000011
【図５（ｃ）】
2016509138.tif 000012
【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
少なくとも２組の層のセットに配置される互いに平行な複数個の層であって、前記少なくとも２組の層のセットのそれぞれは、互いにキルティングで縫い合わされた少なくとも２個の層を含む前記複数個の層と、
前記少なくとも２組の層のセットのそれぞれに含まれる前記少なくとも２個の層の間の空間を占める断熱材と、
を含み、
前記少なくとも２組の層のセットは、互いにオフセットされる、装具。
【請求項２】
前記少なくとも２組の層のセットのそれぞれは、複数個のステッチを含み、
前記複数個のステッチは、前記少なくとも２組の層のセットのそれぞれに含まれる前記少なくとも２個の層を互いにキルティングで縫い合わせるように機能し、
前記少なくとも２組の層のセットのうちの１個のセットに含まれる前記複数個のステッチのそれぞれは、前記少なくとも２組の層のセットのうちの他のセットに含まれる前記複数個のステッチの間の領域と位置合わせされる、請求項１に記載の装具。
【請求項３】
前記少なくとも２組の層のセットのうちの１個のセットに含まれる前記複数個のステッチのそれぞれは、前記少なくとも２組の層のセットのうちの他のセットに含まれる前記複数個のステッチの間の中間の領域と位置合わせされる、請求項２に記載の装具。
【請求項４】
前記少なくとも２組の層のセットは、空隙部分によって分離される、請求項１から３のいずれか一項に記載の装具。
【請求項５】
前記少なくとも２組の層のセットのうちの１個のセットに含まれる前記複数個のステッチは、前記少なくとも２組の層のセットのうちの他のセットに含まれる前記複数個のステッチよりも互いに間隔を空けている、請求項２に記載の装具。
【請求項６】
前記少なくとも２組の層のセットのうちの１個のセットの厚さは、前記少なくとも２組の層のセットのうちの他のセットの厚さと異なる、請求項１から５のいずれか一項に記載の装具。
【請求項７】
前記少なくとも２組の層のセットのうちの１個のセットに含まれる前記少なくとも２個の層の間の前記空間を占める前記断熱材は、前記少なくとも２組の層のセットのうちの他のセットに含まれる前記少なくとも２個の層の間の前記空間を占める前記断熱材とは異なる、請求項１から６のいずれか一項に記載の装具。
【請求項８】
前記断熱材は、ダウン、ポリフィル、及び、ファイバーボールのうちの１つである、請求項１から７のいずれか一項に記載の装具。
【手続補正２】
【補正対象書類名】明細書
【補正対象項目名】００２６
【補正方法】変更
【補正の内容】
【００２６】
多数の実験を行った後、上記の発明者は、交互キルティング配置が、図２Ｂに示されるように、従来のキルティングと比較して全体的な断熱能力を改善することを確定した。比較は図２Ａに提示されるように３種類の異なる断熱材、すなわち、ダウン、プリマロフト、及びサーモボールを使用して行った。交互構造及び従来構造の両方のプリマロフトの厚さは、２００ｇｍであるように選択した。サーモボールの厚さは４０ｇｍだった。ダウンの厚さは４０ｇｍに設定する一方、ダウンの密度は８００フィルパワー、７００フィルパワー、及び６００フィルパワーであるように徐々に変えた。
【手続補正３】
【補正対象書類名】明細書
【補正対象項目名】００３９
【補正方法】変更
【補正の内容】
【００３９】
これらのバリエーションは、外側及び内側層のセットの間の互換性特徴とセットみ合わされると、交互キルティングが提供する美観の選択肢の多様性を向上し得る。キルティング部分の幅を変えることにより、交互キルティングによって製造される同一衣服の２種類の異なる外観及び視覚的訴求がもたらされ得る。さらに、層のセットの厚さを変えることは、外側として２つの側のどちらを使用者が選択するかに依存して、使用者に同一衣服又は同一カバーの２種類の異なる触感を提供し得る。最後に、交互キルティング技法の層のセットの厚さ及び断熱材の事実上無数のセットみ合わせにより、最終物品の断熱能力及び製造費用に関して幅広い調整が可能になる。
【手続補正４】
【補正対象書類名】明細書
【補正対象項目名】００４１
【補正方法】変更
【補正の内容】
【００４１】
本明細書に記載される例は単に例であり、本発明の趣旨及び範囲から逸脱することなく多数の他の実施形態を実行してもよい。さらに、本発明のいくつかの特徴は、特定の例又は構成との関連においてのみ上で記載され得るが、これらの特徴は、本発明の範囲内にある限り、様々な実施形態又は構成の間で交換され、追加され、及びそれらから除去されてもよい。
以下の項目は、２０１５年７月２７日付の翻訳文提出書の特許請求の範囲に記載の要素である。
（項目１）
少なくとも２組の層のセットに配置される互いに平行な複数個の層であって、前記少なくとも２組の層のセットのそれぞれは、互いにキルティングで縫い合わされた少なくとも２個の層を含む前記複数個の層と、
前記少なくとも２組の層のセットのそれぞれに含まれる前記少なくとも２個の層の間の空間を占める断熱材と、
を含み、
前記少なくとも２組の層のセットは、互いにオフセットされる、装具。
（項目２）
前記少なくとも２組の層のセットのそれぞれは、複数個のステッチを含み、
前記複数個のステッチは、前記少なくとも２組の層のセットのそれぞれに含まれる前記少なくとも２個の層を互いにキルティングで縫い合わせるように機能し、
前記少なくとも２組の層のセットのうちのそれぞれのセットに含まれる前記複数個のステッチのそれぞれは、前記少なくとも２組の層のセットのうちのそれぞれ別のセットに含まれる前記複数個のステッチの間の領域と位置合わせされる、項目１に記載の装具。
（項目３）
前記少なくとも２組の層のセットのうちのそれぞれのセットに含まれる前記複数個のステッチのそれぞれは、前記少なくとも２組の層のセットのうちのそれぞれ別のセットに含まれる前記複数個のステッチの間の中間の領域と位置合わせされる、項目１に記載の装具。
（項目４）
前記少なくとも２組の層のセットは、空隙部分によって分離される、項目１に記載の装具。
（項目５）
前記少なくとも２組の層のセットのうちのそれぞれのセットに含まれる前記複数のステッチは、前記少なくとも２組の層のセットのうちのそれぞれ別のセットに含まれる前記複数のステッチよりも互いに間隔を空けている、項目２に記載の装具。
（項目６）
前記少なくとも２組の層のセットのうちのそれぞれのセットの厚さは、前記少なくとも２組の層のセットのうちのそれぞれ別のセットの厚さと異なる、項目１に記載の装具。
（項目７）
前記少なくとも２組の層のセットのうちのそれぞれのセットに含まれる前記少なくとも２個の層の間の前記空間を占める前記断熱材は、前記少なくとも２組の層のセットのうちのそれぞれ別のセットに含まれる前記少なくとも２個の層の間の前記空間を占める前記断熱材とは異なる、項目１に記載の装具。
（項目８）
前記断熱材は、ダウン、ポリフィル、及び、ファイバーボールのうちの１つである、項目１に記載の装具。
（項目９）
互いに平行な複数個の層を置くステップと、
前記複数個の層を少なくとも２組の層のセットに配置するステップであって、前記少なくとも２組の層のセットのそれぞれは、少なくとも２個の層を含むステップと、
前記少なくとも２個の層のセットのそれぞれに含まれる前記少なくとも２個の層の間の空間を断熱材で満たすステップと、
前記少なくとも２個の層のセットのそれぞれに含まれる前記少なくとも２個の層を互いにキルティングで縫い合わせるステップと、
前記少なくとも２組の層のセットを互いにオフセットするステップと、
を含むキルティングの方法。
（項目１０）
前記少なくとも２組の層のセットのそれぞれに含まれる前記少なくとも２個の層を互いにキルティングで縫い合わせるために複数個のステッチを使用するステップをさらに含む、項目９に記載のキルティングの方法。
（項目１１）
前記少なくとも２組の層のセットのうちのそれぞれのセットに含まれる前記複数個のステッチのそれぞれを、前記少なくとも２組の層のセットのうちのそれぞれ別のセットに含まれる前記複数個のステッチの間の領域と位置合わせするステップをさらに含む、項目１０に記載のキルティングの方法。
（項目１２）
少なくとも２組の層のセットに配置される互いに平行な複数個の層であって、前記少なくとも２組の層のセットのそれぞれは、互いにキルティングで縫い合わされた少なくとも２個の層を含む前記複数個の層と、
前記少なくとも２つの層のセットのそれぞれに含まれる前記少なくとも２個の層の間の空間を占める断熱材と、
を含み、
前記少なくとも２組の層のセットは、互いにオフセットされる、衣服。
（項目１３）
前記少なくとも２組の層のセットは、少なくとも２つの方向において互いにオフセットされる、項目１２に記載の衣服。
（項目１４）
前記少なくとも２組の層のセットは、水平方向及び側方方向において互いにオフセットされる、項目１３に記載の衣服。
（項目１５）
前記少なくとも２組の層のセットのそれぞれは、複数個のステッチを含み、
前記複数個のステッチは、前記少なくとも２個の層のセットのそれぞれに含まれる前記少なくとも２個の層を互いにキルティングで縫い合わせるように機能し、
前記少なくとも２組の層のセットのうちのそれぞれのセットに含まれる前記複数個のステッチのそれぞれは、前記少なくとも２組の層のセットのうちのそれぞれ別のセットに含まれる前記複数個のステッチの間の領域と位置合わせされる、項目１２に記載の衣服。
（項目１６）
前記少なくとも２組の層のセットは、空隙部分によって分離される、項目１２に記載の衣服。
（項目１７）
前記少なくとも２組の層のセットのうちのそれぞれのセットに含まれる前記複数個のステッチは、前記少なくとも２組の層のセットのうちのそれぞれ別のセットに含まれる前記複数個のステッチよりも互いに間隔を空けて離される、項目１５に記載の衣服。
（項目１８）
前記少なくとも２組の層のセットのうちのそれぞれのセットの厚さは、前記少なくとも２組の層のセットのうちのそれぞれ別のセットの厚さと異なる、項目１２に記載の衣服。
（項目１９）
前記少なくとも２組の層のセットのうちのそれぞれのセットに含まれる前記少なくとも２個の層の間の前記空間を占める前記断熱材は、前記少なくとも２組の層のセットのうちのそれぞれ別のセットに含まれる前記少なくとも２個の層の間の前記空間を占める前記断熱材と異なる、項目１２に記載の衣服。
（項目２０）
前記断熱材は、ダウン、ポリフィル、及びファイバーボールのうちの１つである、項目１２に記載の衣服。
【国際調査報告】
2016509138.tif 000013